(57)【特許請求の範囲】
【請求項１】
少なくとも三つの支柱アセンブリと、前記支柱アセンブリのそれぞれに対応する複数のトップロッドアセンブリとを含み、隣接する二つの支柱アセンブリの上端部間にサイドロッドアセンブリが接続される折り畳み可能なテントであって、
各前記トップロッドアセンブリのそれぞれは、内側から外側に順に設けられ、それぞれ内端部と外端部とを有する第１トップロッド、第２トップロッド及びひさしロッドを含み、
各前記トップロッドアセンブリの前記第１トップロッドの内端部が相対回転するように接続され、
各前記トップロッドアセンブリでは、前記第１トップロッドの外端部と、前記第２トップロッドの内端部とが回転可能に接続され、前記第２トップロッドの外端部と、前記ひさしロッドの内端部と、当該トップロッドアセンブリに対応する支柱アセンブリの上端部とが、二つの枢軸を介して互いに接続されてもよく、又は同じ枢軸を介して回転するように接続され、
前記テントは、展開状態及び折り畳み状態を有し、
前記テントが展開状態にあるとき、各前記トップロッドアセンブリの前記第１トップロッド、第２トップロッド及びひさしロッドは、それぞれ相対展開され、前記ひさしロッドの外端部は、当該トップロッドアセンブリに対応する支柱アセンブリの外側まで延在し、
前記テントが折り畳み状態にあるとき、各前記トップロッドアセンブリの前記第１トップロッド、第２トップロッド及びひさしロッドは、それぞれ互いに接近し、
各前記トップロッドアセンブリのそれぞれは、前記第１トップロッドと前記ひさしロッドとの間に接続され、前記ひさしロッド及び前記第１トップロッドを展開させる又は折り畳むための伝達部材をさらに含むことを特徴とする、折り畳み可能なテント。
【請求項２】
前記伝達部材は、前記第１トップロッドと前記ひさしロッドとの間に回転可能に接続される伝達ロッドであり、前記第１トップロッド、第２トップロッド、ひさしロッド及び伝達ロッドで四節リンク機構が形成されることを特徴とする、請求項１に記載の折り畳み可能なテント。
【請求項３】
前記伝達ロッドは、前記第１トップロッドに回転可能に接続される内端部と、前記ひさしロッドに回転可能に接続される外端部とを有し、前記伝達ロッドと前記第１トップロッドとが接続される箇所は、前記第２トップロッドと前記第１トップロッドとが接続される箇所の外側に位置し、前記伝達ロッドと前記ひさしロッドとが接続される箇所は、前記第２トップロッドと前記ひさしロッドとが接続される箇所の外側に位置することを特徴とする、請求項２に記載の折り畳み可能なテント。
【請求項４】
前記テントが展開状態にあるとき、各前記トップロッドアセンブリの前記第２トップロッドの中心線と、前記伝達ロッドの中心線とは、平行であり、又は１０°未満の夾角を形成することを特徴とする、請求項２に記載の折り畳み可能なテント。
【請求項５】
前記テントが展開状態にあるとき、各前記トップロッドアセンブリの前記第１トップロッド、前記第２トップロッド、前記伝達ロッド及び前記ひさしロッドの中心線は、互いに平行であることを特徴とする、請求項２に記載の折り畳み可能なテント。
【請求項６】
各前記トップロッドアセンブリでは、前記第１トップロッドと、前記第２トップロッドとが枢軸を介して互いに回転するように接続され、前記伝達ロッドが枢軸を介して前記第１トップロッドと前記ひさしロッドにそれぞれ回転可能に接続され、前記第２トップロッドの外端部と前記ひさしロッドが枢軸を介して支柱アセンブリの上端部にそれぞれ回転可能に接続され、同じトップロッドアセンブリにおける各枢軸の軸線がそれぞれ水平方向に沿って延在し、互いに平行であることを特徴とする、請求項２から５のいずれか１項に記載の折り畳み可能なテント。
【請求項７】
各前記支柱アセンブリのそれぞれには、上下方向に沿ってスライド可能なスライダが設けられ、各前記トップロッドアセンブリのそれぞれは、上端部と下端部とを有する駆動ロッドをさらに含み、前記駆動ロッドの上端部は、前記第２トップロッド又は前記伝達部材に回転可能に接続され、前記駆動ロッドの下端部は、スライダの移動に伴って前記第２トップロッド又は前記伝達部材が駆動されるように、前記駆動ロッドに対応するスライダに回転可能に接続されることを特徴とする、請求項１から５のいずれか１項に記載の折り畳み可能なテント。
【請求項８】
各前記支柱アセンブリのそれぞれは、支柱上段と、前記支柱上段に上下方向に沿ってスライド可能に挿入される支柱下段とを含み、前記スライダは、前記支柱上段に上下方向に沿ってスライド可能に設けられることを特徴とする、請求項７に記載の折り畳み可能なテント。
【請求項９】
各前記サイドロッドアセンブリのそれぞれは、クロスブレース部材を含み、各前記クロスブレース部材は、中央部で互いに回転するように接続され、それぞれ上端と下端とを有する第１接続ロッド及び第２接続ロッドを含み、前記第１接続ロッドの上端及び下端は、それぞれ一つの支柱アセンブリの上端部と、他の支柱アセンブリにおけるスライダと互いに回転するように接続され、前記第２接続ロッドの下端及び上端は、それぞれ前記一つの支柱アセンブリにおけるスライダと、前記他の支柱アセンブリの上端部と互いに回転するように接続され、
又は、各前記サイドロッドアセンブリのそれぞれは、順に互いに回転するように接続される複数のクロスブレース部材を含み、各前記クロスブレース部材は、中央部で互いに回転するように接続され、それぞれ上端と下端とを有する第１接続ロッド及び第２接続ロッドを含み、前記第１接続ロッドの上端は、一つの支柱アセンブリの上端部又は他のクロスブレース部材の第２接続ロッドの上端と互いに回転するように接続され、前記第１接続ロッドの下端は、他のクロスブレース部材の第２接続ロッドの下端又は他の支柱アセンブリにおけるスライダと互いに回転するように接続され、前記第２接続ロッドの下端は、前記一つの支柱アセンブリにおけるスライダ又は他のクロスブレース部材の第１接続ロッドの下端と互いに回転するように接続され、前記第２接続ロッドの上端は、他のクロスブレース部材の第１接続ロッドの上端又は前記他の支柱アセンブリの上端部と互いに回転するように接続されることを特徴とする、請求項７に記載の折り畳み可能なテント。
【請求項１０】
各前記トップロッドアセンブリのそれぞれは、支持ロッドをさらに含み、前記支持ロッドは、前記第１トップロッドの内端部と外端部との間に回転可能に設けられ、各前記トップロッドアセンブリの前記支持ロッドは、互いに回転するように接続され、各前記支持ロッドにおいて回転接続される箇所は、各前記第１トップロッドの内端部において回転接続される箇所の下方に位置することを特徴とする、請求項１から５のいずれか１項に記載の折り畳み可能なテント。
【発明の詳細な説明】
【技術分野】
【０００１】
本発明は、折り畳み可能なテントに関するものである。
【背景技術】
【０００２】
テントの構造形式は多種多様であり、屋外日除け用に使用されるテントは通常、折り畳み式テントである。従来の折り畳みテントは、日除け面積が小さく、テントを開いた後の日除け面積を増やすために、ひさし構造付きひさし式テントが登場した。テントのトップコーナには、突出したひさしロッドが設けられ、ひさしロッドに設けられた周囲のエッジによって日除け面積を増やす目的が達成される。それは、主にテントトップフレームのトップロッドにひさしロッドを枢着し、又はひさしロッドを挿着することによって行われ、当該ひさしロッドの外端が各支柱の外側に遊動可能に突出する。しかしながら、現在の折り畳みテントでは、ひさしロッドがテントのメインフレームに対して独立して設けられており、展開するとき又は折り畳むときに二段階で操作する必要がある。つまり、展開するときは、まずテントのメインフレームを展開し、次に各ひさしロッドを一つずつ開いたり引き出したりする必要がある。ひさしロッドが高い位置にあるため、操作を実現するには不便である。折り畳みの場合の操作は逆であり、同じ問題が存在する。そのため、従来の折り畳みテントには、構造が複雑であり、折り畳みと展開操作が煩雑であり不便である問題が存在する。
【発明の概要】
【０００３】
上記の技術的問題を解決するために、本発明は、日除け面積が大きく、ひさしロッドが第１トップロッドとともに展開及び折り畳むことができ、操作が便利であり、展開後、伝達部材が第２トップロッドに対して補強効果を有する折り畳み可能なテントを提供する。
【０００４】
上記の目的を達成するために、本発明に採用される技術的手段は以下の通りである。本発明の態様によれば、少なくとも三つの支柱アセンブリと、前記支柱アセンブリのそれぞれに対応する複数のトップロッドアセンブリとを含み、隣接する二つの支柱アセンブリの上端部間にサイドロッドアセンブリが接続される折り畳み可能なテントであって、各前記トップロッドアセンブリのそれぞれは、内側から外側に順に設けられ、それぞれ内端部と外端部とを有する第１トップロッド、第２トップロッド及びひさしロッドを含み、各前記トップロッドアセンブリの前記第１トップロッドの内端部が相対回転するように接続され、各前記トップロッドアセンブリでは、前記第１トップロッドの外端部と、前記第２トップロッドの内端部とが回転可能に接続され、前記第２トップロッドの外端部と、前記ひさしロッドの内端部と、当該トップロッドアセンブリに対応する支柱アセンブリの上端部とが、二つの枢軸を介して互いに接続されてもよく、又は同じ枢軸を介して回転するように接続され、前記テントは、展開状態及び折り畳み状態を有し、前記テントが展開状態にあるとき、各前記トップロッドアセンブリの前記第１トップロッド、第２トップロッド及びひさしロッドは、それぞれ相対展開され、前記ひさしロッドの外端部は、当該トップロッドアセンブリに対応する支柱アセンブリの外側まで延在し、前記テントが折り畳み状態にあるとき、各前記トップロッドアセンブリの前記第１トップロッド、第２トップロッド及びひさしロッドは、それぞれ互いに接近し、各前記トップロッドアセンブリのそれぞれは、前記第１トップロッドと前記ひさしロッドとの間に接続され、前記ひさしロッド及び前記第１トップロッドを展開させる又は折り畳むための伝達部材をさらに含むものである。
【０００５】
また、本態様では、前記伝達部材は、前記第１トップロッドと前記ひさしロッドとの間に回転可能に接続される伝達ロッドであり、前記第１トップロッド、第２トップロッド、ひさしロッド及び伝達ロッドで四節リンク機構が形成されることが好ましい。
【０００６】
また、本態様では、前記伝達ロッドは、前記第１トップロッドに回転可能に接続される内端部と、前記ひさしロッドに回転可能に接続される外端部とを有し、前記伝達ロッドと前記第１トップロッドとが接続される箇所は、前記第２トップロッドと前記第１トップロッドとが接続される箇所の外側に位置し、前記伝達ロッドと前記ひさしロッドとが接続される箇所は、前記第２トップロッドと前記ひさしロッドとが接続される箇所の外側に位置することがより好ましい。
【０００７】
また、本態様では、前記テントが展開状態にあるとき、各前記トップロッドアセンブリの前記第２トップロッドの中心線と、前記伝達ロッドの中心線とは、平行であり、又は１０°未満の夾角を形成することがより好ましい。
【０００８】
また、本態様では、前記テントが展開状態にあるとき、各前記トップロッドアセンブリの前記第１トップロッド、前記第２トップロッド、前記伝達ロッド及び前記ひさしロッドの中心線は、互いに平行である。
【０００９】
また、本態様では、各前記トップロッドアセンブリでは、前記第１トップロッドと、前記第２トップロッドとが枢軸を介して互いに回転するように接続され、前記伝達ロッドが枢軸を介して前記第１トップロッドと前記ひさしロッドにそれぞれ回転可能に接続され、前記第２トップロッドの外端部と前記ひさしロッドが枢軸を介して支柱アセンブリの上端部にそれぞれ回転可能に接続され、同じトップロッドアセンブリにおける各枢軸の軸線がそれぞれ水平方向に沿って延在し、互いに平行であることが好ましい。
【００１０】
また、本態様では、各前記支柱アセンブリのそれぞれには、上下方向に沿ってスライド可能なスライダが設けられ、各前記トップロッドアセンブリのそれぞれは、上端部と下端部とを有する駆動ロッドをさらに含み、前記駆動ロッドの上端部は、前記第２トップロッド又は前記伝達部材に回転可能に接続され、前記駆動ロッドの下端部は、スライダの移動に伴って前記第２トップロッド又は前記伝達部材が駆動されるように、前記駆動ロッドに対応するスライダに回転可能に接続されることが好ましい。
【００１１】
また、本態様では、各前記支柱アセンブリのそれぞれは、支柱上段と、前記支柱上段に上下方向に沿ってスライド可能に挿入される支柱下段とを含み、前記スライダは、前記支柱上段に上下方向に沿ってスライド可能に設けられることがより好ましい。
【００１２】
また、本態様では、各前記サイドロッドアセンブリのそれぞれは、クロスブレース部材を含み、各前記クロスブレース部材は、中央部で互いに回転するように接続され、それぞれ上端と下端とを有する第１接続ロッド及び第２接続ロッドを含み、前記第１接続ロッドの上端及び下端は、それぞれ一つの支柱アセンブリの上端部と、他の支柱アセンブリにおけるスライダと互いに回転するように接続され、前記第２接続ロッドの下端及び上端は、それぞれ前記一つの支柱アセンブリにおけるスライダと、前記他の支柱アセンブリの上端部と互いに回転するように接続され、又は、各前記サイドロッドアセンブリのそれぞれは、順に互いに回転するように接続される複数のクロスブレース部材を含み、各前記クロスブレース部材は、中央部で互いに回転するように接続され、それぞれ上端と下端とを有する第１接続ロッド及び第２接続ロッドを含み、前記第１接続ロッドの上端は、一つの支柱アセンブリの上端部又は他のクロスブレース部材の第２接続ロッドの上端と互いに回転するように接続され、前記第１接続ロッドの下端は、他のクロスブレース部材の第２接続ロッドの下端又は他の支柱アセンブリにおけるスライダと互いに回転するように接続され、前記第２接続ロッドの下端は、前記一つの支柱アセンブリにおけるスライダ又は他のクロスブレース部材の第１接続ロッドの下端と互いに回転するように接続され、前記第２接続ロッドの上端は、他のクロスブレース部材の第１接続ロッドの上端又は前記他の支柱アセンブリの上端部と互いに回転するように接続されることがより好ましい。
【００１３】
また、本態様では、各前記トップロッドアセンブリのそれぞれは、支持ロッドをさらに含み、前記支持ロッドは、前記第１トップロッドの内端部と外端部との間に回転可能に設けられ、各前記トップロッドアセンブリの前記支持ロッドは、互いに回転するように接続され、各前記支持ロッドにおいて回転接続される箇所は、各前記第１トップロッドの内端部において回転接続される箇所の下方に位置することが好ましい。
【発明の効果】
【００１４】
本発明は上記の技術的手段を採用することにより、従来技術に比べて以下の利点を有する。展開中に、ひさしロッドは、伝達部材によって第１トップロッドとともに展開することができ、ひさしロッドを個別に展開する必要がないため、展開が便利である。折り畳み中に、ひさしロッドは、伝達部材によって第１トップロッドとともに折り畳むことができ、ひさしロッドを個別に折り畳む必要がないため、折り畳み操作が便利である。また、展開後、伝達部材は、第２トップロッドに対して補強効果を有することにより、トップロッドアセンブリがより安定する。ひさしロッドはテントの日除け面積を増やした。
【図面の簡単な説明】
【００１５】
本発明の技術的手段をより明確に説明するために、以下、実施例の説明に必要な図面を簡単に紹介する。明らかに、以下の説明における図面は、本発明の実施例に過ぎない。当業者にとって、創造的な労働なしに、これらの図面に基づいて他の図面を得ることができる。
【００１６】
【図１】本発明に係るテントが展開状態にあるときの概略図である。
【図２】図１におけるI箇所の部分拡大図である。
【図３】図１に示すテントの上面図である。
【図４】図３におけるＡ−Ａ方向の断面図である。
【図５】図３におけるＢ−Ｂ方向の断面図である。
【図６】図３におけるＣ−Ｃ方向の断面図である。
【図７】図３におけるＤ−Ｄ方向の断面図である。
【図８】図１に示すテントの折り畳み中の概略図である。
【図９】図８におけるI箇所の部分拡大図である。
【図１０】図８におけるII箇所の部分拡大図である。
【図１１】図８に示すテントの上面図である。
【図１２】図１１におけるＡ−Ａ方向の断面図である。
【図１３】図８に示すテントがさらに折り畳まれた後の概略図である。
【図１４】図１に示すテントが折り畳み状態にあるときの概略図である。
【００１７】
１、支柱アセンブリ、１１、支柱上段、１２、支柱下段、２、トップロッドアセンブリ、２１、第１トップロッド、２２、第２トップロッド、２２１、係合部、２３、ひさしロッド、２４、伝達ロッド、２４１、係合部、２５、支持ロッド、３、サイドロッドアセンブリ、３０、クロスブレース部材、３１、第１接続ロッド、３２、第２接続ロッド、４１、上部中心接続部材、４２、下部中心接続部材、５１、スライダ、５２、駆動ロッド
【発明を実施するための形態】
【００１８】
以下、本発明の利点及び特徴が当業者により理解されやすいように、図面を参照しながら本発明の好適実施例を詳細に説明する。なお、これらの実施形態の説明は、本発明の理解を助けるために用いされるものであり、本発明を限定するものではない。また、以下説明する本発明の各実施形態に係る技術的特徴は、互いに矛盾が生じない限り、互いに組み
合わせることができる。
【００１９】
本実施例は、大きな日除け面積を有するひさし付き折り畳み可能なテントを提供する。図１〜１４に示すように、折り畳み可能なテントは、少なくとも三つの支柱アセンブリ１と、支柱アセンブリ１のそれぞれに対応する複数のトップロッドアセンブリ２とを含み、任意の隣接する二つの支柱アセンブリ１の上端部間にサイドロッドアセンブリ３がそれぞれ接続される。具体的には、本実施例では、支柱アセンブリ１は、数が四つであり、等間隔に配列されて立方体空間を囲むように形成される。支柱アセンブリ１は、地面に対してテントを支持するために略垂直方向に沿って延在する。トップロッドアセンブリ２は、テントのトップフレームを形成するために対応して四つとされる。サイドロッドアセンブリ３も、それぞれテントの前、後、左、右の周囲に位置するように対応して四つとされる。
【００２０】
図２に示すように、各トップロッドアセンブリ２のそれぞれは、内側から外側に順に設けられ、それぞれ内端部と外端部とを有する第１トップロッド２１、第２トップロッド２２及びひさしロッド２３を含む。なお、本発明では、「内側」や「外側」などの方位用語は、いずれもテントの垂直中心線に基づいて定義されており、内側とはテントの垂直中心線に近い側を指し、その逆は外側というものとする。四つのトップロッドアセンブリ２の四つの第１トップロッド２１の内端部は、いずれも枢軸を介して上部中心接続部材４１に回転可能に接続される。これにより、四つのトップロッドアセンブリ２は、それぞれテントトップフレームの対角線に沿ってテントの四つのトップコーナに向かって延在するクロス構造を形成し、互いに相対回転することができる。各トップロッドアセンブリ２では、第１トップロッド２１の外端部と第２トップロッド２２の内端部とが枢軸を介して回転可能に接続され、第２トップロッド２２の外端部と、ひさしロッド２３の内端部と、当該トップロッドアセンブリに対応する支柱アセンブリ１の上端部とが互いに相対回転するように接続される。言い換えると、第２トップロッド２２の外端部と、ひさしロッド２３の内端部と、当該トップロッドアセンブリに対応する支柱アセンブリ１の上端部とが、二つの枢軸を介して互いに接続されてもよく、又は同じ枢軸を介して回転するように接続されてもよい。例えば、第２トップロッド２２の外端部とひさしロッド２３の内端部とが一つの枢軸を介して接続され、当該トップロッドアセンブリに対応する支柱アセンブリ１の上端部は、他の枢軸を介して第２トップロッド２２の外端部及びひさしロッド２３の二つのうちの一つとが回転するように接続される。具体的には、本実施例では、第２トップロッド２２の外端部とひさしロッド２３の内端部とが同じ枢軸を介して当該トップロッドアセンブリに対応する支柱アセンブリ１の上端部に回転するように接続される。
【００２１】
各トップロッドアセンブリ２のそれぞれは、第１トップロッド２１とひさしロッド２３との間に接続され、ひさしロッド２３を第１トップロッドとともに展開させる又は折り畳むための伝達部材をさらに含む。典型的には、伝達部材は、第１トップロッド２１とひさしロッド２３との間に回転可能に接続される伝達ロッド２４である。第１トップロッド、第２トップロッド、ひさしロッド及び伝達ロッドで四節リンク機構が形成される。四つのロッドは、互いに折り畳まれたり相対展開されたりするように連携する。伝達ロッド２４は、第１トップロッド２１の外端部に枢軸を介して回転可能に接続される内端部と、ひさしロッド２３の内端部に枢軸を介して回転可能に接続される外端部とを有する。図２に示すように、伝達ロッド２４と第１トップロッド２１とが接続される箇所Ｃ１は、第２トップロッド２２と第１トップロッド２１とが接続される箇所Ｃ２の外側に位置し、伝達ロッド２４とひさしロッド２３とが接続される箇所Ｃ３は、第２トップロッド２２とひさしロッド２３とが接続される箇所の外側に位置する。
【００２２】
各トップロッドアセンブリ２のそれぞれは、支持ロッド２５をさらに含む。支持ロッド２５は、枢軸を介して第１トップロッド２１の内端部と外端部との間に回転可能に設けられる。四つのトップロッドアセンブリ２の支持ロッド２５の内端部は、いずれも枢軸を介
して下部中心接続部材４２に回転可能に接続される。下部中心接続部材４２は、上部中心接続部材４１の直下にあり、両方の幾何学的中心は、テントの垂直中心線上にある。なお、同じトップロッドアセンブリ２における各枢軸の軸線は、それぞれ水平方向に沿って延在し、互いに平行である。
【００２３】
当該テントは、展開状態及び折り畳み状態を有する。テントが展開状態にあるとき、各トップロッドアセンブリ２の第１ロッド２１、第２ロッド２２及びひさしロッド２３は、それぞれ相対展開され、ひさしロッド２３の外端部は、当該トップロッドアセンブリに対応する支柱アセンブリ１の外側まで延在する。テントが折り畳み状態にあるとき、各トップロッドアセンブリ２の第１トップロッド２１、第２トップロッド２２及びひさしロッド２３は、それぞれ互いに接近する。なお、テントが展開状態にあるとき、各トップロッドアセンブリ２の第２トップロッド２２及び伝達ロッド２４の中心線は、平行であり、又は１０°未満の夾角を形成する。より好ましくは、テントが展開状態にあるとき、各トップロッドアセンブリ２の四つの第１トップロッド２１、第２トップロッド２２、伝達ロッド２４及びひさしロッド２３の中心線は、平行である。これにより、伝達ロッド２４は、第２トップロッド２２に対して良い補強効果を発揮し、テントのトップフレームの強度を高めることができる。より具体的には、図２、図５〜図７に示すように、各トップロッドアセンブリ２では、第１トップロッド２１及びひさしロッド２３の中心線は、同一直線上にあり、第２トップロッド２２及び伝達ロッド２４は、それぞれ前記第１トップロッド２１及びひさしロッド２３の中心線の対向する両側に位置するため、接続は強固であり、より安定する。また、図５に示すように、枢軸による接続に加えて、第２トップロッド２２には、Ｕ字型の係合部２２１がさらに固定的に設けられ、又は一体的に成形される。当該係合部２２１は、第１トップロッド２１に係合する係合溝を有する。第１トップロッド２１は、当該係合溝に係合することができる。これにより、展開状態におけるテントがより安定する。係合溝は、上向きの切欠きを有し、第１トップロッド２１は、テントの折り畳みを妨げないように回転するときに係合溝から離脱することができる。第１トップロッド２１と伝達ロッド２４との間にも同様の接続方法が採用される。図６に示すように、伝達ロッド２４にも、Ｕ字型の係合部２４１が固定的に設けられ、又は一体的に成形される。当該係合部２４１は、第１トップロッド２１に係合する係合溝を有する。第１トップロッド２１は、当該係合溝に離脱可能に係合される。
【００２４】
各支柱アセンブリ１のそれぞれは、支柱上段１１と、支柱上段１１に上下方向に沿ってスライド可能に挿入される支柱下段１２とを含む。上記トップロッドアセンブリ２の第２トップロッド２２及びひさしロッド２３は、それぞれ支柱上段１１の上端部に回転するように接続される。各支柱アセンブリ１の支柱上段１１には、それぞれ上下方向に沿ってスライド可能なスライダ５１が套設される。各トップロッドアセンブリ２のそれぞれは、上端部と下端部とを有する駆動ロッド５２をさらに含む。駆動ロッド５２の上端部は、伝達ロッド２４の内端部と外端部との間に回転可能に接続され、駆動ロッド５２の下端部は、スライダ５１とともに移動して、伝達ロッド２４を動作するように駆動するために、前記駆動ロッドに対応するスライダ５１に回転可能に接続される。
【００２５】
サイドロッドアセンブリ３は、順に互いに回転するように接続される一つ又は複数のクロスブレース部材３０からなる。各クロスブレース部材３０のそれぞれは、それぞれ上端と下端とを有する第１接続ロッド３１及び第２接続ロッド３２を含む。第１接続ロッド３１の中央部と第２接続ロッド３２の中央部とが交差してクロス構造を形成するように枢軸を介して回転するように接続される。具体的には、本実施例では、各サイドロッドアセンブリ３は、三つのクロスブレース部材３０からなる。第１接続ロッド３１の上端は、一つの支柱アセンブリ１の上端部又は他のクロスブレース部材３０の第２接続ロッド３２の上端と回転するように接続され、第１リンク３１の下端は、他のクロスブレース部材３０の第２リンク３２の下端又は他の支柱アセンブリ１におけるスライダ５１と回転するように
接続される。第２接続ロッド３２の下端は、一つの支柱アセンブリ１におけるスライダ５１又は他のクロスブレース部材３０の第１接続ロッド３１の下端と回転するように接続され、第２接続ロッド３２の上端は、他のクロスブレース部材３０の第１接続ロッド３１の上端又は他の支柱アセンブリ１の上端部と回転するように接続される。
【００２６】
上記のテントを折り畳むときは、まず上部中心接続部材４１及び／又は各第１トップロッド２１間に設けられたロック機構をロック解除する。当該ロック機構は、従来技術で知られているロック方法を採用することができ、ここでは詳述しない。支柱アセンブリ１の支柱下段１２を支柱上段１１に格納する。支柱アセンブリ１におけるスライダ５１を引き下げて、駆動ロッド５２を回転するように動かし、伝達ロッド２４がそれとともに回転する。伝達ロッド２４により、第１トップロッド２１及び第２トップロッド２２が互いに接近し、ひさしロッド２３の外端部が上向き及び内向きに回転する。同時に、トップロッドアセンブリ２が閉じられると、支柱アセンブリ１同士も互いに接近する。これにより、サイドロッドアセンブリ３の各クロスブレース部材３０が互いに折り畳まれて接近する。スライダ５１がその最下位置に移動すると、各支柱アセンブリ１が互いに接近し、各クロスブレースアセンブリが互いに接近し、各トップロッドアセンブリ２が支柱アセンブリ１間に互いに閉じられ、図１４に示す折り畳み状態が達成される。折り畳み状態におけるテントは、全体構造がコンパクトであり、折り畳みサイズが小さいことがわかる。さらに、折り畳み中に、各ロッド部材（ひさしロッド２３を含む）は、いずれもスライダ５１によって折り畳むことができ、ひさしロッド２３を個別に折り畳む必要がないため、折り畳み操作が便利である。
【００２７】
逆に、上記のテントを展開するときは、スライダ５１を上方にスライドさせ、駆動ロッド５２及び伝達ロッド２４の相互作用により、各トップロッドアセンブリ２の第１トップロッド２１及びひさしロッド２３が第２トップロッド２２に対して展開される。支柱アセンブリ１及びサイドロッドアセンブリ３がそれとともに周囲に広げられる。テントが展開された後、上部中心接続部材４１及び／又は各第１トップロッド２１の間に設けられたロック機構によってロックすることにより、テントが図１に示す展開状態で安定する。展開中に、各ロッド部材（ひさしロッド２３を含む）は、いずれもスライダ５１によって展開することができ、ひさしロッド２３を個別に展開する必要がないため、展開が便利である。また、展開後、伝達ロッド２４は、第２トップロッド２２に対して補強効果を有することにより、トップロッドアセンブリ２がより安定する。
【００２８】
上記の実施例は、本発明の技術的概念及び特徴を単に説明するための好適実施例である。その目的は、当業者が本発明の内容を理解して実施することができることにあり、本発明の保護範囲を限定するものではない。本発明の原理に従って行われる同等の変換又は修正は、いずれも本発明の保護範囲に含まれるべきである。
【図１】
0006913230.tif 000002
【図２】
0006913230.tif 000003
【図３】
0006913230.tif 000004
【図４】
0006913230.tif 000005
【図５】
0006913230.tif 000006
【図６】
0006913230.tif 000007
【図７】
0006913230.tif 000008
【図８】
0006913230.tif 000009
【図９】
0006913230.tif 000010
【図１０】
0006913230.tif 000011
【図１１】
0006913230.tif 000012
【図１２】
0006913230.tif 000013
【図１３】
0006913230.tif 000014
【図１４】
0006913230.tif 000015